(57)【要約】【課題】  洗浄機本体と洗浄槽との間に無駄な空間が発生することを抑制したスライド構造を備えた食器洗浄機を提供する。【解決手段】  洗浄機本体５の内側面に取付部１ｂによって固定された第１のスライドレール１と、洗浄槽４の外側面下端部位に取付部２ｂによって固定された第２のスライドレール２それぞれの滑動部１ａ，２ａは、滑動体６及び第３のスライドレール３を介して一体に形成されたスライドレール１０に構成され、スライドレール１０の少なくとも滑動部１ａ，２ａが洗浄槽４の外側面上部より内方に位置するように配設される。【選択図】  図２
2005143515.tif 000002
【特許請求の範囲】
【請求項１】
洗浄機本体に固定された第１のスライドレールに滑動自在に挿設された第２のスライドレールが洗浄槽に固定されることにより、前記洗浄槽が前記洗浄機本体内から前後方向に出し入れ自在に配設されてなる食器洗浄機において、前記第２のスライドレールは、少なくとも前記第１のスライドレールとの滑動部分が洗浄槽の上部外側面より内方に位置するように洗浄槽に固定されてなることを特徴とする食器洗浄機。
【請求項２】
第２のスライドレールは第１のスライドレールに対して第３のスライドレールを介して挿設され、第１、第２、第３の各スライドレール間の滑動部分が洗浄槽の上部外側面より内方に位置するように配設されてなる請求項１に記載の食器洗浄機。
【請求項３】
第２及び第３のスライドレールが洗浄槽の上部外側面より内方に位置するように配設されてなる請求項２に記載の食器洗浄機。
【請求項４】
各スライドレール間の滑動部分が、洗浄槽の外側面の延長線上に形成されたカバーにより被覆されてなる請求項１〜３いずれか一項に記載の食器洗浄機。
【発明の詳細な説明】
【技術分野】
【０００１】
本発明は、食器洗浄機に関し、特に、洗浄槽に対する被洗浄物の出し入れを行うために洗浄槽を洗浄機本体から前後方向に進退移動させるスライドレールの取付構造に特徴を有する食器洗浄機に関するものである。
【背景技術】
【０００２】
図３に示すように、主にキッチンカウンタ３６の下にビルトインされる食器洗浄機では、その洗浄槽３４を前後方向に進退移動させる開閉構造が主に採用されている。洗浄槽３４は上方に開口しているので、前方に開口する洗浄機本体３５から洗浄槽３４を前方に引き出すことにより洗浄槽３４内に配設された食器カゴ３７に収容された食器類３８の出し入れを容易に行うことができる。洗浄槽３４の開閉構造は、洗浄槽３４を収容する洗浄機本体３５に取り付けられた第１のスライドレール３１に滑動自在に挿設された第２のスライドレール３２を洗浄槽３４に取り付けることにより、洗浄槽３４は前後方向に自在に進退移動できるように構成される。
【０００３】
洗浄槽３４内の下方には洗浄ノズル３９が配設されており、それに洗浄水を送給する送水配管や洗浄水を排水する排水配管等の構成要素が洗浄槽３４の下面に取り付けられているため、第１及び第２の各スライドレール３１，３２によるスライド位置は、洗浄槽３４の両側面もしくは両側面の最下部に設定されている（特許文献１参照）。
【０００４】
また、洗浄槽３４の引き出し量を大きくして洗浄槽３４の上方開口部分を全て開放させることを可能とするために、図４に示すように、第１のスライドレール３１と第２のスライドレール３２との間に第３のスライドレール３３を配したレール３０を洗浄槽３４と洗浄機本体３５との間に取り付けた開閉構造を本願出願人は提案している（特願２００２−３２０９４６号参照）。
【特許文献１】特許第３１２９３１８号公報（第２〜４頁、図２）
【発明の開示】
【発明が解決しようとする課題】
【０００５】
上記従来技術に示すように、洗浄槽を前後方向に進退移動させるためのスライドレールは、洗浄槽の両側面と食器洗浄機本体との間に設けられているため、洗浄槽の両側面と食器洗浄機本体との間にスライドレールを配設するための空間が必要となり、洗浄槽の容積を拡大させる制約となる課題があった。
【０００６】
本発明が目的とするところは、スライドレールを配設するために洗浄槽の両側に生じる空間を削減するスライドレール取り付け構造を備えた食器洗浄機を提供することにある。
【課題を解決するための手段】
【０００７】
上記目的を達成するための本発明は、洗浄機本体に固定された第１のスライドレールに滑動自在に挿設された第２のスライドレールが洗浄槽に固定されることにより、前記洗浄槽が前記洗浄機本体内から前後方向に出し入れ自在に配設されてなる食器洗浄機において、前記第２のスライドレールは、少なくとも前記第１のスライドレールとの滑動部分が洗浄槽の上部外側面より内方に位置するように洗浄槽に固定されてなることを特徴とする。
【０００８】
上記構成によれば、上方開口部に向けて幅寸法が拡大するようにテーパー角度を設けて形成される洗浄槽の両外側面下方に内方寄りに形成した凹部に第２のスライドレールを取り付けることにより、第１のスライドレールのスライドレールとの滑動部分が両外側面の上部より内方に位置するようになるため、洗浄槽の両側面と洗浄機本体との間にスライドレールを配設するために確保する空間は削減される。従って、洗浄槽の幅寸法を拡大して容積の増加を図ることができ、限られた幅寸法内に配置する洗浄槽の容積増加により食器類の収容量を増加させることが可能となる。
【０００９】
上記構成において、第２のスライドレールは第１のスライドレールに対して第３のスライドレールを介して挿設され、第１、第２、第３の各スライドレール間の滑動部分が洗浄槽の上部外側面より内方に位置するように配設することにより、洗浄槽の洗浄機本体からの引き出し量を大きく確保することができ、容積の拡大と同時に洗浄槽の開口部を洗浄機本体外に開放して食器類の出し入れを容易にすることができる。
【００１０】
また、第２及び第３のスライドレールが洗浄槽の上部外側面より内方に位置するように配設することにより、洗浄槽の両側面と洗浄機本体との間の空間をより削減することができる。
【００１１】
また、各スライドレール間の滑動部分を洗浄槽の外側面の延長線上に形成されたカバーにより被覆することにより、可動部分がカバーによって被覆され、可動部分への異物や塵埃の侵入を抑制することができる。
【発明の効果】
【００１２】
本発明によれば、洗浄槽の両外側面と洗浄機本体との間にスライドレールを配設するために確保する空間を削減することができるので、空間の削減に伴って洗浄槽の容積の拡大を図ることができ、限られた幅寸法内に設置される食器洗浄機にあっても食器類の収容量を増加させ得ると同時に、開口面積を増加させて食器類の出し入れを容易にした食器洗浄機を構成することができる。
【発明を実施するための最良の形態】
【００１３】
図１は、実施形態に係る食器洗浄機の要部構成を示すもので、洗浄機本体５の前面に形成された開口部から上方に開口する洗浄槽４が前後方向に進退移動できるように構成されている。洗浄槽４の進退移動は、洗浄機本体５の内側面の両側に取り付けられた第１のスライドレール１に対し、洗浄槽４の外側面の下方両側に取り付けられた第２のスライドレール２を第３のスライドレール３を介して嵌挿させたスライドレール１０によりなされる。
【００１４】
図２は、スライドレール１０の構造及びその取付構造を示すもので、スライドレール１０は、第１のスライドレール１と第２のスライドレール２とが第３のスライドレール３を介して重なり合う滑動部１ａ，２ａには、それぞれ第３のスライドレール３との間に滑動体６が介挿され、第１のスライドレール１はその滑動部１ａから延出された取付部１ｂを洗浄機本体５の内側面にネジ固定することにより洗浄機本体５に取り付けられ、第２のスライドレール２はその滑動部２ａから延出された取付部２ｂを洗浄槽４の底面にネジ固定することにより洗浄槽４に取り付けられる。
【００１５】
洗浄槽４を洗浄機本体５内に収納した状態では第１、第２、第３の各スライドレール１，２，３は、第３のスライドレール３を介して滑動部１ａ，２ａが互いに重なり合った状態にあり、洗浄槽４を洗浄機本体５から引き出す操作を行うと、引き出し移動の初期段階では第２のスライドレール２は滑動体６の滑動により第３のスライドレール３上を滑動し、引き出し量が所定値以上になったとき第３のスライドレール３は第２のスライドレール２の移動に追従して第１のスライドレール１上の滑動を開始する。従って、洗浄槽４を最大進出位置まで引き出したとき、第３のスライドレール３は第１のスライドレール１から所要の支持長さを残して引き出され、第２のスライドレール２は第３のスライドレール３から所要の支持長さを残して引き出されるので、洗浄槽４の引き出し量を大きくすることができ、洗浄槽４の開口部分の上方に障害物がない状態にまで引き出すことが可能となり、洗浄槽４に対する食器類の出し入れを容易にすることができる。
【００１６】
図２において、スライドレール１０は、第１及び第２の各スライドレール１，２それぞれの滑動部１ａ，２ａが少なくとも洗浄槽４の外側面の上部より内方に位置するように取り付けるために、洗浄槽４の外側面の下端部位を内方に窪ませた取付凹部７内に滑動部１ａ，２ａが収容されるように取り付けられる。このようにスライドレール１０を取付凹部７内に収容することにより、洗浄機本体５の内側面と洗浄槽４の外側面との間にスライドレール１０を配設しても、洗浄機本体５の内側面と洗浄槽４の外側面との間にスライドレール１０を配置するために大きな空間を確保する必要がなくなるので、洗浄槽４の幅寸法を拡大することが可能となり、幅寸法に制約のある食器洗浄機であっても洗浄槽４の容積を増加させ、食器類の収容量を増加させることができる。
【００１７】
前記取付凹部７の窪み深さｈは、図２に示すように、第２、第３の各スライドレール２，３の全体が洗浄槽４の外側面の上部より内方に位置するように形成することにより、スライドレール１０の洗浄槽４の外側面からの突出部分は第１のスライドレール１の取付部１ｂだけとなり、洗浄槽４の幅寸法をより大きく設定することが可能となる。
【００１８】
また、図２に仮想線で示すように、洗浄槽４の外側面の延長線上にカバー８を設けることにより、スライドレール１０は取付凹部７内にカバー８で被覆されて収容された状態となるため、滑動部１ａ，２ａに対する異物や塵埃の侵入を抑制することができる。
【００１９】
上記構成のように洗浄槽４の下端部位に取付凹部７を形成すると、洗浄槽４内の底面両側に段差が生じるが、洗浄槽４の内部底面には洗浄ノズルやヒータ、残菜フィルタなどが設けられ、食器類を収容する食器カゴは底面から浮いた状態に配設されるので、食器類の収容量を減少させる方向に洗浄槽４の容積を減少させることはない。
【００２０】
以上説明した実施形態は、スライドレール１０は第３のスライドレール３を備えて洗浄槽４の引き出し量を大きくした構成について述べたが、一般的に多く採用されている第１及び第２のスライドレール間の滑動による洗浄槽の引き出し構造においても、本発明の構成を適用することは可能であり、洗浄槽の容積拡大を図ることができる。
【産業上の利用可能性】
【００２１】
本発明によれば、洗浄機本体と洗浄槽との間に無駄な空間を発生させることなく洗浄槽の引き出し構造が構成できるので、限られたスペースにより大きな収容容積を備えた洗浄槽を設けることができ、日本の狭い住宅環境であっても食器類の収容量をより大きく確保できる食器洗浄機を提供することができる。
【図面の簡単な説明】
【００２２】
【図１】実施形態に係る食器洗浄機の要部構成を示す斜視図。
【図２】スライドレールの構造及びその取付構造を示す断面図。
【図３】従来技術に係る食器洗浄機の構成を示す側面図。
【図４】洗浄機本体に対する洗浄槽のスライド構造を示す断面図。
【符号の説明】
【００２３】
１  第１のスライドレール
１ａ，２ａ  滑動部
１ｂ，２ｂ  取付部
２  第２のスライドレール
３  第３のスライドレール
４  洗浄槽
５  洗浄機本体
６  滑動体
７  取付凹部
８  カバー
１０  スライドレール
【図１】
2005143515.tif 000003
【図２】
2005143515.tif 000004
【図３】
2005143515.tif 000005
【図４】
2005143515.tif 000006